(57)【要約】  十分な電圧設定マージンを確保しつつ安定した書込み放電を発生させて、品質の高い画像をプラズマディスプレイパネルに表示する。そのために、選択初期化動作では、維持電極に第１の電圧を印加するとともに走査電極に上り傾斜波形電圧を印加して維持電極を陰極とし走査電極を陽極とする１回目の放電を発生させ、次に、走査電極に下り傾斜波形電圧を印加して走査電極を陰極としデータ電極を陽極とする２回目の放電を発生させ、次に、走査電極に正の矩形波形電圧を印加して維持電極を陰極とし走査電極を陽極とする３回目の放電を発生させ、次に、維持電極に第１の電圧よりも高い第２の電圧を印加するとともに走査電極に下り傾斜波形電圧を印加して走査電極を陰極としデータ電極を陽極とする４回目の放電を発生させる。そして、走査電極に正の矩形波形電圧を印加する時間の長さを直前のサブフィールドの維持期間に発生する維持パルスの数にもとづき変更する。
2011052219.tif 000002
【特許請求の範囲】
【請求項１】
初期化期間と書込み期間と維持期間とを有するサブフィールドを複数用いて１つのフィールドを構成し、走査電極と維持電極とデータ電極とを有する放電セルを複数備えたプラズマディスプレイパネルを駆動するプラズマディスプレイパネルの駆動方法であって、
前記サブフィールドの初期化期間では、直前のサブフィールドの動作にかかわらず前記放電セルに初期化放電を発生させる強制初期化動作、または直前のサブフィールドの書込み期間で書込み放電を発生した放電セルのみで選択的に初期化放電を発生させる選択初期化動作のいずれかの初期化動作を行い、
前記選択初期化動作では、前記維持電極に第１の電圧を印加するとともに前記走査電極に上り傾斜波形電圧を印加して前記維持電極を陰極とし前記走査電極を陽極とする１回目の放電を発生させ、次に、前記走査電極に下り傾斜波形電圧を印加して前記走査電極を陰極とし前記データ電極を陽極とする２回目の放電を発生させ、次に、前記走査電極に正の矩形波形電圧を印加して前記維持電極を陰極とし前記走査電極を陽極とする３回目の放電を発生させ、次に、前記維持電極に第１の電圧よりも高い第２の電圧を印加するとともに前記走査電極に下り傾斜波形電圧を印加して前記走査電極を陰極とし前記データ電極を陽極とする４回目の放電を発生させ、かつ
前記走査電極に前記正の矩形波形電圧を印加する時間の長さを直前のサブフィールドの維持期間に発生する維持パルスの数にもとづき変更することを特徴とするプラズマディスプレイパネルの駆動方法。
【請求項２】
前記走査電極に前記正の矩形波形電圧を印加する時間の長さは、直前のサブフィールドの維持期間に発生する維持パルスの数が多いときには、直前のサブフィールドの維持期間に発生する維持パルスの数が少ないときよりも長くすることを特徴とする請求項１に記載のプラズマディスプレイパネルの駆動方法。
【請求項３】
走査電極と維持電極とデータ電極とを有する放電セルを複数備えたプラズマディスプレイパネルと、初期化期間と書込み期間と維持期間とを有するサブフィールドを複数用いて１つのフィールドを構成して前記プラズマディスプレイパネルを駆動する駆動回路とを備えたプラズマディスプレイ装置であって、
前記駆動回路は、
前記サブフィールドの初期化期間では、直前のサブフィールドの動作にかかわらず前記放電セルに初期化放電を発生させる強制初期化動作、または直前のサブフィールドの書込み期間で書込み放電を発生した放電セルのみで選択的に初期化放電を発生させる選択初期化動作のいずれかの初期化動作を行い、
前記選択初期化動作では、前記維持電極に第１の電圧を印加するとともに前記走査電極に上り傾斜波形電圧を印加して前記維持電極を陰極とし前記走査電極を陽極とする１回目の放電を発生させ、次に、前記走査電極に下り傾斜波形電圧を印加して前記走査電極を陰極とし前記データ電極を陽極とする２回目の放電を発生させ、次に、前記走査電極に正の矩形波形電圧を印加して前記維持電極を陰極とし前記走査電極を陽極とする３回目の放電を発生させ、次に、前記維持電極に第１の電圧よりも高い第２の電圧を印加するとともに前記走査電極に下り傾斜波形電圧を印加して前記走査電極を陰極とし前記データ電極を陽極とする４回目の放電を発生させ、
前記走査電極に前記正の矩形波形電圧を印加する時間の長さを直前のサブフィールドの維持期間に発生する維持パルスの数にもとづき変更することを特徴とするプラズマディスプレイ装置。
【請求項４】
前記駆動回路は、
前記走査電極に前記正の矩形波形電圧を印加する時間の長さを、直前のサブフィールドの維持期間に発生する維持パルスの数が多いときには、直前のサブフィールドの維持期間に発生する維持パルスの数が少ないときよりも長くすることを特徴とする請求項３に記載のプラズマディスプレイ装置。
【発明の詳細な説明】
【技術分野】
【０００１】
本発明は、交流面放電型のプラズマディスプレイパネルの駆動方法およびプラズマディスプレイ装置に関する。
【背景技術】
【０００２】
プラズマディスプレイパネル（以下、「パネル」と略記する）として代表的な交流面放電型パネルは、１対の走査電極と維持電極とからなる表示電極対が複数形成された前面基板と、複数のデータ電極が形成された背面基板とを対向配置し、その間に多数の放電セルが形成されている。そして放電セル内でガス放電により紫外線を発生させ、この紫外線で赤色、緑色および青色の各色の蛍光体を励起発光させてカラー表示を行う。【０００３】
パネルを駆動する方法としては、１フィールド期間を複数のサブフィールドに分割した上で、発光させるサブフィールドの組合せによって階調表示を行うサブフィールド法が一般的である。各サブフィールドは、初期化期間、書込み期間および維持期間を有する。【０００４】
初期化期間では初期化放電を発生し、続く書込み動作に必要な壁電荷を形成する初期化動作を行う。初期化動作には、直前のサブフィールドの動作にかかわらず初期化放電を発生させる強制初期化動作と、直前のサブフィールドで書込み放電を行った放電セルのみで初期化放電を発生させる選択初期化動作とがある。【０００５】
書込み期間では、表示する画像に応じて放電セルで選択的に書込み放電を発生し壁電荷を形成する。【０００６】
そして維持期間では、走査電極と維持電極とに交互に維持パルスを印加して維持放電を発生させ、対応する放電セルの蛍光体層を発光させることにより画像表示を行う。この維持放電による蛍光体層の発光は階調表示に関係する発光であり、強制初期化動作にともなう発光は階調表示に関係しない発光である。【０００７】
サブフィールド法の一つとして、最も低い階調である黒を表示する際の輝度（以下、「黒輝度」と略記する）を下げ、階調表示に関係しない発光を極力減らしてコントラストを向上させる駆動方法が検討されている。例えば、特許文献１には、強制初期化動作を行う回数を１フィールドに１回とし、他のサブフィールドでは選択初期化動作を行う駆動方法が開示されている。強制初期化動作では、緩やかに変化する傾斜波形電圧を用いて初期化動作を行う。【０００８】
また、特許文献２には、維持期間の最後において走査電極に上り傾斜波形電圧を印加し、その次の初期化期間において走査電極に下り傾斜波形電圧を印加して選択初期化動作を行う駆動方法が開示されている。【０００９】
特許文献２に記載されているように、駆動電圧波形に傾斜波形電圧を用いると、リンギング等の波形ひずみが抑えられるので、各放電セルの各電極に駆動電圧波形を精度よく印加することができ、安定した書込み放電を発生させることができる。【００１０】
しかしながら、傾斜波形電圧により発生する放電は微弱な放電であり、また選択初期化を行うために各電極に印加できる電圧範囲は限られるので、それ以前の放電セルの壁電荷の履歴を完全に消去するだけの放電を発生させることが難しいという課題があった。そのために、直前のサブフィールドで書込み放電を行った放電セルと書込み放電を行なわなかった放電セルとの駆動条件が異なり、その結果、駆動電圧波形の電圧設定マージンが狭くなるという課題があった。
【先行技術文献】
【特許文献】
【００１１】
【特許文献１】特開２０００−２４２２２４号公報
【特許文献２】特開２００８−２５６７７４号公報
【発明の概要】
【００１２】
本発明は、初期化期間と書込み期間と維持期間とを有するサブフィールドを複数用いて１つのフィールドを構成し、走査電極と維持電極とデータ電極とを有する放電セルを複数備えたパネルを駆動するパネルの駆動方法である。サブフィールドの初期化期間では、直前のサブフィールドの動作にかかわらず放電セルに初期化放電を発生させる強制初期化動作、または直前のサブフィールドの書込み期間で書込み放電を発生した放電セルのみで選択的に初期化放電を発生させる選択初期化動作のいずれかの初期化動作を行う。選択初期化動作では、維持電極に第１の電圧を印加するとともに走査電極に上り傾斜波形電圧を印加して、維持電極を陰極とし走査電極を陽極とする１回目の放電を発生させる。次に、走査電極に下り傾斜波形電圧を印加して、走査電極を陰極としデータ電極を陽極とする２回目の放電を発生させる。次に、走査電極に正の矩形波形電圧を印加して、維持電極を陰極とし走査電極を陽極とする３回目の放電を発生させる。次に、維持電極に第１の電圧よりも高い第２の電圧を印加するとともに走査電極に下り傾斜波形電圧を印加して、走査電極を陰極としデータ電極を陽極とする４回目の放電を発生させる。そして、走査電極に正の矩形波形電圧を印加する時間の長さを、直前のサブフィールドの維持期間に発生する維持パルスの数にもとづき変更する。
【００１３】
この方法により、十分な電圧設定マージンを確保しつつ、安定した書込み放電を発生させて、表示品質の高い画像を表示することが可能なプラズマディスプレイ装置を実現することができる。
【００１４】
また、本発明は、走査電極と維持電極とデータ電極とを有する放電セルを複数備えたパネルと、初期化期間と書込み期間と維持期間とを有するサブフィールドを複数用いて１つのフィールドを構成してパネルを駆動する駆動回路とを備えたプラズマディスプレイ装置である。駆動回路は、サブフィールドの初期化期間では、直前のサブフィールドの動作にかかわらず放電セルに初期化放電を発生させる強制初期化動作、または直前のサブフィールドの書込み期間で書込み放電を発生した放電セルのみで選択的に初期化放電を発生させる選択初期化動作のいずれかの初期化動作を行う。選択初期化動作では、維持電極に第１の電圧を印加するとともに走査電極に上り傾斜波形電圧を印加して、維持電極を陰極とし走査電極を陽極とする１回目の放電を発生させる。次に、走査電極に下り傾斜波形電圧を印加して、走査電極を陰極としデータ電極を陽極とする２回目の放電を発生させる。次に、走査電極に正の矩形波形電圧を印加して、維持電極を陰極とし走査電極を陽極とする３回目の放電を発生させる。次に、維持電極に第１の電圧よりも高い第２の電圧を印加するとともに走査電極に下り傾斜波形電圧を印加して、走査電極を陰極としデータ電極を陽極とする４回目の放電を発生させる。そして、走査電極に正の矩形波形電圧を印加する時間の長さを、直前のサブフィールドの維持期間に発生する維持パルスの数にもとづき変更する。
【００１５】
これにより、十分な電圧設定マージンを確保しつつ、安定した書込み放電を発生させて、表示品質の高い画像を表示することが可能なプラズマディスプレイ装置を実現することができる。
【図面の簡単な説明】
【００１６】
【図１】図１は、本発明の実施の形態におけるプラズマディスプレイ装置に用いるパネルの分解斜視図である。
【図２】図２は、本発明の実施の形態におけるプラズマディスプレイ装置に用いるパネルの電極配列図である。
【図３】図３は、本発明の実施の形態におけるプラズマディスプレイ装置の各電極に印加する駆動電圧波形図である。
【図４Ａ】図４Ａは、本発明の実施の形態における選択初期化期間において走査電極に印加する矩形波形電圧の印加時間の長さと安定した書込み放電を発生させるために必要な電圧Ｖａとの関係を示す図である。
【図４Ｂ】図４Ｂは、維持期間に発生する維持パルスの数と安定した書込み放電を発生させるために必要な電圧Ｖａとの関係を示す図である。
【図４Ｃ】図４Ｃは、本発明の実施の形態におけるサブフィールド毎に設定する時間Ｔｅの一例を示す図である。
【図５】図５は、本発明の実施の形態におけるプラズマディスプレイ装置の回路ブロック図である。
【図６】図６は、本発明の実施の形態におけるプラズマディスプレイ装置の走査電極駆動回路の回路図である。
【図７】図７は、本発明の実施の形態におけるプラズマディスプレイ装置の維持電極駆動回路の回路図である。
【発明を実施するための形態】
【００１７】
以下、本発明の実施の形態におけるプラズマディスプレイ装置について、図面を用いて説明する。
【００１８】
（実施の形態）
図１は、本発明の実施の形態におけるプラズマディスプレイ装置に用いるパネル１０の分解斜視図である。ガラス製の前面基板２１上には、走査電極２２と維持電極２３とからなる表示電極対２４が複数形成されている。そして表示電極対２４を覆うように誘電体層２５が形成され、その誘電体層２５上に保護層２６が形成されている。保護層２６は、放電を発生しやすくするために、電子放出性能の高い材料である酸化マグネシウムを用いて形成されている。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【００１９】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、放電ガスとして、例えばネオンとキセノンとの混合ガスが封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００２０】
なお、パネル１０の構造は上述したものに限られるわけではなく、例えばストライプ状の隔壁を備えたものであってもよい。
【００２１】
図２は、本発明の実施の形態におけるプラズマディスプレイ装置に用いるパネル１０の電極配列図である。パネル１０には、行方向に長いｎ本の走査電極ＳＣ１〜走査電極ＳＣｎ（図１の走査電極２２）およびｎ本の維持電極ＳＵ１〜維持電極ＳＵｎ（図１の維持電極２３）が配列され、列方向に長いｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。
【００２２】
次に、パネル１０を駆動するための駆動電圧波形とその動作について説明する。プラズマディスプレイ装置は、サブフィールド法、すなわち１フィールド（Ｆ）を複数のサブフィールドに分割し、サブフィールド（ＳＦ）毎に各放電セルの発光・非発光を制御することによって画像を表示する。
【００２３】
それぞれのサブフィールド（ＳＦ）は、初期化期間、書込み期間、維持期間を有する。
【００２４】
初期化期間では、それ以前の放電セルの壁電荷の履歴を消去し、続く書込み放電に必要な壁電荷を各電極上に形成する初期化動作を行う。
【００２５】
書込み期間では、発光させるべき放電セルで選択的に書込み放電を発生し、壁電荷を形成する書込み動作を行う。
【００２６】
維持期間では、サブフィールド毎にあらかじめ決められた輝度重みに応じた数の維持パルスを表示電極対２４に交互に印加する。こうして、書込み放電を発生した放電セルで維持放電を発生させ、その放電セルを発光させる維持動作を行う。なお、発光輝度を低く抑えるために、維持期間を省略するサブフィールドを設けてもよい。
【００２７】
本実施の形態では、例えば、１フィールドは１０のサブフィールド（ＳＦ１、ＳＦ２、・・・、ＳＦ１０）で構成され、各サブフィールドにはそれぞれ、（１、２、３、６、１１、１８、３０、４４、６０、８０）の輝度重みが設定されているものとする。そして、サブフィールドＳＦ１の初期化期間で強制初期化動作を行い、サブフィールドＳＦ２〜サブフィールドＳＦ１０の初期化期間で選択初期化動作を行うものとする。しかし、本発明は、サブフィールドの構成が、上記のサブフィールド数、および輝度重みに限定されるものではない。
【００２８】
図３は、本発明の実施の形態におけるプラズマディスプレイ装置の各電極に印加する駆動電圧波形図である。
【００２９】
強制初期化動作を行うサブフィールドＳＦ１の初期化期間の前半部では、データ電極Ｄ１〜データ電極Ｄｍに電圧０（Ｖ）を印加し、維持電極ＳＵ１〜維持電極ＳＵｎにも電圧０（Ｖ）を印加する。そして、走査電極ＳＣ１〜走査電極ＳＣｎに、電圧Ｖｉ１から電圧Ｖｉ２に向かって緩やかに上昇する上り傾斜波形電圧を印加する。電圧Ｖｉ１は、維持電極ＳＵ１〜維持電極ＳＵｎに対する放電開始電圧以下の電圧であり、電圧Ｖｉ２は、維持電極ＳＵ１〜維持電極ＳＵｎに対する放電開始電圧を超える電圧である。
【００３０】
これにより、走査電極ＳＣ１〜走査電極ＳＣｎと維持電極ＳＵ１〜維持電極ＳＵｎとの間、および走査電極ＳＣ１〜ＳＣｎとデータ電極Ｄ１〜データ電極Ｄｍとの間でそれぞれ微弱な初期化放電が発生し、走査電極ＳＣ１〜走査電極ＳＣｎ上に負の壁電圧が蓄積され、データ電極Ｄ１〜データ電極Ｄｍ上および維持電極ＳＵ１〜維持電極ＳＵｎ上に正の壁電圧が蓄積される。ここで、電極上の壁電圧とは、電極を覆う誘電体層上、保護層上、蛍光体層上等に蓄積された壁電荷により生じる電圧を表す。
【００３１】
初期化期間の後半部では、維持電極ＳＵ１〜維持電極ＳＵｎに電圧Ｖｅを印加し、走査電極ＳＣ１〜走査電極ＳＣｎに電圧Ｖｉ３から電圧Ｖｉ４に向かって緩やかに下降する下り傾斜波形電圧を印加する。電圧Ｖｉ３は、維持電極ＳＵ１〜維持電極ＳＵｎに対して放電開始電圧以下となる電圧であり、電圧Ｖｉ４は、維持電極ＳＵ１〜維持電極ＳＵｎに対して放電開始電圧を超える電圧である。
【００３２】
これにより、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間で、再び微弱な初期化放電が発生する。そして、走査電極ＳＣ１〜走査電極ＳＣｎ上の負の壁電圧、および維持電極ＳＵ１〜維持電極ＳＵｎ上の正の壁電圧が弱められ、データ電極Ｄ１〜データ電極Ｄｍ上の正の壁電圧は、過剰な部分が放電され、書込み動作に適した壁電圧に調整される。以上により、全ての放電セルで初期化放電が発生する強制初期化動作が完了する。
【００３３】
続く書込み期間では、データ電極Ｄ１〜データ電極Ｄｍには電圧０（Ｖ）を印加し、維持電極ＳＵ１〜ＳＵｎには電圧Ｖｅを印加し、走査電極ＳＣ１〜走査電極ＳＣｎには電圧Ｖｃを印加する。
【００３４】
次に、１行目の走査電極ＳＣ１に負の電圧Ｖａの走査パルスを印加するとともに、データ電極Ｄ１〜データ電極Ｄｍのうち１行目に発光させるべき放電セルに対応するデータ電極Ｄｋに正の電圧Ｖｄの書込みパルスを印加する。これにより、書込みパルスを印加した放電セルのデータ電極Ｄｋ上と走査電極ＳＣ１上との交差部の電圧差は、外部印加電圧の差（Ｖｄ−Ｖａ）に、データ電極Ｄｋ上の正の壁電圧が加算されたものとなり、放電開始電圧を超える。そして、データ電極Ｄｋと走査電極ＳＣ１との間で放電が発生し、この放電が走査電極ＳＣ１と維持電極ＳＵ１との間の放電に伸展する。こうして書込み放電が発生する。そして、走査電極ＳＣ１上に正の壁電圧が蓄積され、維持電極ＳＵ１上に負の壁電圧が蓄積され、データ電極Ｄｋ上にも負の壁電圧が蓄積される。このようにして、１行目に発光させるべき放電セルで書込み放電が発生して、各電極上に壁電圧を蓄積する書込み動作が行われる。一方、書込みパルスを印加しなかったデータ電極３２と走査電極ＳＣ１との交差部の電圧は放電開始電圧を超えないので、書込み放電は発生しない。
【００３５】
次に、２行目の走査電極ＳＣ２に走査パルスを印加するとともに、データ電極Ｄ１〜データ電極Ｄｍのうち２行目に発光させるべき放電セルに対応するデータ電極Ｄｋに書込みパルスを印加する。これにより、データ電極Ｄｋと走査電極ＳＣ２との間、および維持電極ＳＵ２と走査電極ＳＣ２との間で書込み放電が発生し、走査電極ＳＣ２上に正の壁電圧が蓄積され、維持電極ＳＵ２上に負の壁電圧が蓄積され、データ電極Ｄｋ上にも負の壁電圧が蓄積される。このようにして、２行目に発光させるべき放電セルで書込み放電が発生し、各電極上に壁電圧を蓄積する書込み動作が行われる。一方、書込みパルスを印加しなかったデータ電極３２と走査電極ＳＣ２との交差部の電圧は放電開始電圧を超えないので、書込み放電は発生しない。
【００３６】
以下、３行目の走査電極ＳＣ３からｎ行目の走査電極ＳＣｎに至るまで、同様の書込み動作を行い、続く維持放電に必要な壁電荷を放電セル内に形成する。
【００３７】
続く維持期間では、維持電極ＳＵ１〜維持電極ＳＵｎに電圧０（Ｖ）を印加するとともに走査電極ＳＣ１〜走査電極ＳＣｎに電圧Ｖｓの維持パルスを印加する。これにより、書込み放電を起こした放電セルでは、走査電極ＳＣｉ上と維持電極ＳＵｉ上との電圧差が、電圧Ｖｓに走査電極ＳＣｉ上の壁電圧と維持電極ＳＵｉ上の壁電圧との差を加算したものとなり、走査電極ＳＣｉと維持電極ＳＵｉとの間の放電開始電圧を超える。こうして、走査電極ＳＣｉと維持電極ＳＵｉとの間に維持放電が発生し、このとき発生した紫外線により、蛍光体層３５が発光する。そして、走査電極ＳＣｉ上に負の壁電圧が蓄積され、維持電極ＳＵｉ上に正の壁電圧が蓄積される。さらに、データ電極Ｄｋ上にも正の壁電圧が蓄積される。一方、書込み放電が起きなかった放電セルでは維持放電は発生せず、初期化動作の終了時における壁電圧が保たれる。
【００３８】
続いて、走査電極ＳＣ１〜走査電極ＳＣｎに電圧０（Ｖ）を印加するとともに、維持電極ＳＵ１〜ＳＵｎに電圧Ｖｓの維持パルスを印加する。これにより、維持放電を起こした放電セルでは再び維持放電が起こり、蛍光体層３５が発光する。そして、維持電極ＳＵｉ上に負の壁電圧が蓄積され、走査電極ＳＣｉ上に正の壁電圧が蓄積される。
【００３９】
以降同様に、輝度重みに応じた数の維持パルスを、走査電極ＳＣ１〜走査電極ＳＣｎと維持電極ＳＵ１〜維持電極ＳＵｎとに交互に印加し、書込み放電を起こした放電セルで維持放電を継続して発生させる。
【００４０】
続くサブフィールドＳＦ２の初期化期間では、維持電極ＳＵ１〜維持電極ＳＵｎに第１の電圧である電圧０（Ｖ）を印加するとともに走査電極ＳＣ１〜走査電極ＳＣｎには電圧Ｖｒまで緩やかに上昇する上り傾斜波形電圧を印加する。これにより、直前のサブフィールド（ここでは、サブフィールドＳＦ１）の維持期間で維持放電を発生した放電セル（維持期間がないサブフィールドの場合は、書込み期間で書込み放電を行った放電セル）で、維持電極ＳＵｉを陰極とし走査電極ＳＣｉを陽極とする１回目の放電が発生する。この放電は微弱な放電である。そして、走査電極ＳＣｉ上および維持電極ＳＵｉ上の壁電圧が弱められる。なお、本実施の形態においては、電圧Ｖｒは電圧Ｖｓと同じ電圧に設定されているが、電圧Ｖｒは電圧Ｖｓと異なる電圧であってもよい。
【００４１】
次に、維持電極ＳＵ１〜維持電極ＳＵｎに電圧０（Ｖ）を印加したまま、走査電極ＳＣ１〜走査電極ＳＣｎには電圧０（Ｖ）から電圧Ｖｉ４に向かって緩やかに下降する下り傾斜波形電圧を印加する。これにより、微弱な１回目の放電を発生した放電セルで、再び微弱な放電が発生する。このときの微弱な放電は、走査電極ＳＣｉを陰極としデータ電極Ｄｋを陽極とする２回目の放電である。なお、本実施の形態において、電圧Ｖｉ４は、走査パルスの電圧Ｖａと等しいか、または電圧Ｖａよりわずかに高い電圧に設定されている。
【００４２】
その後、走査電極ＳＣ１〜走査電極ＳＣｎに、正の矩形波形電圧を、本実施の形態においては電圧Ｖｒの矩形波形電圧を、時間Ｔｅの間、印加する。すなわち、時間Ｔｅとは、選択初期化期間において走査電極ＳＣ１〜走査電極ＳＣｎに印加する正の矩形波形電圧の印加時間の長さのことである。
【００４３】
これにより、微弱な２回目の放電を発生した放電セルで３度目の放電が発生する。このときの放電は、維持電極ＳＵｉを陰極とし走査電極ＳＣｉを陽極とする３回目の放電であり、弱い放電である。
【００４４】
さらにその後、維持電極ＳＵ１〜維持電極ＳＵｎに、第１の電圧（０（Ｖ））よりも高い第２の電圧である電圧Ｖｅを印加し、走査電極ＳＣ１〜走査電極ＳＣｎには電圧０（Ｖ）から電圧Ｖｉ４に向かって緩やかに下降する下り傾斜波形電圧を印加する。これにより、３回目の放電を発生した放電セルで４度目の放電が発生する。このときの放電は、走査電極ＳＣｉを陰極としデータ電極Ｄｋを陽極とする４回目の放電である。そして、この微弱な放電により、走査電極ＳＣｉ上の壁電圧、維持電極ＳＵｉ上の壁電圧、およびデータ電極Ｄｋ上の壁電圧の過剰な部分が放電され、書込み動作に適した壁電圧に調整される。このようにして、サブフィールドＳＦ２の初期化動作が完了する。この初期化動作は、直前のサブフィールドの維持期間で維持動作を行った放電セル（維持期間が無いサブフィールドの場合は、書込み期間で書込み動作を行った放電セル）に対して選択的に初期化放電を行う選択初期化動作である。
【００４５】
続くサブフィールドＳＦ２の書込み期間の動作は、サブフィールドＳＦ１の書込み期間の動作と同じであり、サブフィールドＳＦ２の維持期間の動作は、維持パルス数を除きサブフィールドＳＦ１の維持期間の動作と同じである。またサブフィールドＳＦ３〜サブフィールドＳＦ１０における動作は、維持パルス数を除き、サブフィールドＳＦ２の動作と同じである。
【００４６】
なお、本実施の形態においては、電圧Ｖｉ１は２００（Ｖ）、電圧Ｖｉ２は４００（Ｖ）、電圧Ｖｉ３は２００（Ｖ）、電圧Ｖｉ４は−１８０（Ｖ）、電圧Ｖｃは２０（Ｖ）、電圧Ｖａは−２００（Ｖ）、電圧Ｖｓは２００（Ｖ）、電圧Ｖｒは２００（Ｖ）、電圧Ｖｅは１５０（Ｖ）、電圧Ｖｄは６０（Ｖ）である。また、上り傾斜波形電圧の勾配は１〜１０（Ｖ／μｓｅｃ）の間で設定され、下り傾斜波形電圧の勾配は−１〜−１０（Ｖ／μｓｅｃ）の間で設定される。しかし、本発明は、各電圧値が何らこれらの電圧値に限定されるものではない。各電圧値は、パネルの特性やプラズマディスプレイ装置の仕様等に応じて最適に設定することが望ましい。
【００４７】
なお、本実施の形態において、時間Ｔｅは、サブフィールド毎に設定される調整値であり、１μｓｅｃ〜５００μｓｅｃの間で設定される。時間Ｔｅに関する詳細については後述する。
【００４８】
上述したように、本実施の形態においては、選択初期化動作を行う初期化期間において、維持電極ＳＵｉを陰極とし走査電極ＳＣｉを陽極とする１回目の放電を発生させる。次に、走査電極ＳＣｉを陰極としデータ電極Ｄｋを陽極とする２回目の放電を発生させる。次に、維持電極ＳＵｉを陰極とし走査電極ＳＣｉを陽極とする３回目の放電を発生させる。次に、走査電極ＳＣｉを陰極としデータ電極Ｄｋを陽極とする４回目の放電を発生させる。そして、これらの放電を弱い放電として発生させ、この放電にともない生じる発光の輝度を抑えるために、維持電極ＳＵ１〜維持電極ＳＵｎに第１の電圧を印加するとともに走査電極ＳＣ１〜走査電極ＳＣｎに上り傾斜波形電圧を印加し、次に、走査電極ＳＣ１〜走査電極ＳＣｎに下り傾斜波形電圧を印加し、次に、走査電極ＳＣ１〜走査電極ＳＣｎに正の矩形波形電圧を印加し、次に、維持電極ＳＵ１〜維持電極ＳＵｎに第１の電圧よりも高い第２の電圧を印加するとともに走査電極ＳＣ１〜走査電極ＳＣｎに下り傾斜波形電圧を印加する。
【００４９】
このように、強い放電を発生させなくても、微弱な放電を複数回繰り返し発生させることによって、各電極上に十分な壁電圧を蓄積することができ、続く書込み放電を安定して発生させることができる。
【００５０】
図４Ａは、本発明の実施の形態における選択初期化期間において走査電極ＳＣ１〜走査電極ＳＣｎに印加する矩形波形電圧の印加時間の長さと安定した書込み放電を発生させるために必要な電圧Ｖａとの関係を示す図である。図４Ａにおいて、縦軸は、安定した書込み放電を発生させるために必要な電圧Ｖａ（走査パルスの振幅）を表し、横軸は、選択初期化期間において走査電極ＳＣ１〜走査電極ＳＣｎに印加する矩形波形電圧の印加時間の長さである時間Ｔｅを表す。
【００５１】
図４Ｂは、維持期間に発生する維持パルスの数と安定した書込み放電を発生させるために必要な電圧Ｖａとの関係を示す図である。図４Ｂにおいて、縦軸は、安定した書込み放電を発生させるために必要な電圧Ｖａ（走査パルスの振幅）を表し、横軸は、直前のサブフィールドの維持期間において発生する維持パルスの数を表す。なお、図面に示す「１ペア」は、走査電極２２と維持電極２３とに維持パルスを１回ずつ印加することを表す。
【００５２】
図４Ｃは、本発明の実施の形態におけるサブフィールド毎に設定する時間Ｔｅの一例を示す図である。なお、図４Ｃには、１フィールドを８のサブフィールド（ＳＦ１、ＳＦ２、・・・、ＳＦ８）で構成し、各サブフィールドにそれぞれ（１、２、４、８、１６、３２、６４、１２８）の輝度重みを設定したときの、時間Ｔｅの設定例を示す。この時間Ｔｅは、選択初期化期間において走査電極ＳＣ１〜走査電極ＳＣｎに印加する電圧Ｖｒの矩形波形電圧の印加時間の長さのことである。
【００５３】
なお、図面では、「μｓｅｃ」を「μｓ」と略記している。
【００５４】
図４Ａに示すように、時間Ｔｅを長くするほど、安定した書込み放電を発生させるために必要な電圧Ｖａ（走査パルスの振幅）を下げられることが、本発明者によって確認された。図４Ａに示す例では、例えば、時間Ｔｅを５００μｓｅｃに設定したときには、時間Ｔｅを０μｓｅｃにした（すなわち、矩形波形電圧を走査電極ＳＣ１〜走査電極ＳＣｎに印加しない）ときと比較して、安定した書込み放電を発生させるために必要な走査パルスの振幅を約２０（Ｖ）低減できることが確認された。
【００５５】
また、図４Ｂに示すように、直前のサブフィールドの維持期間に発生する維持パルスの数が多いほど、安定した書込み放電を発生させるために必要な電圧Ｖａ（走査パルスの振幅）は高くなることが、本発明者によって確認された。図４Ｂに示す例では、直前のサブフィールドの維持期間で４００ペアの維持パルスが発生するサブフィールドの書込み期間では、直前のサブフィールドの維持期間で１ペアの維持パルスが発生するサブフィールドの書込み期間と比較して、安定した書込み放電を発生させるために必要な走査パルスの振幅が約２０（Ｖ）増加することが確認された。
【００５６】
これらのことから、安定した書込み放電を発生させるために必要な電圧Ｖａ（走査パルスの振幅）を低減するには、全てのサブフィールドで時間Ｔｅを長く設定する必要はなく、直前のサブフィールドの維持期間に発生する維持パルスの数に応じて時間Ｔｅを設定すればよいことがわかる。すなわち、直前のサブフィールドの維持期間に発生する維持パルスの数が少なければ、安定した書込み放電を発生させるために必要な電圧Ｖａ（走査パルスの振幅）は低くなるので、時間Ｔｅを比較的短い時間に設定することができる。また、直前のサブフィールドの維持期間に発生する維持パルスの数が多ければ、安定した書込み放電を発生させるために必要な電圧Ｖａ（走査パルスの振幅）は高くなるので、時間Ｔｅを比較的長い時間に設定することが望ましい。
【００５７】
そこで、本実施の形態では、直前のサブフィールドの維持期間に発生する維持パルスの数に応じて時間Ｔｅを設定するものとする。すなわち、直前のサブフィールドの維持期間に発生する維持パルスの数が少なければ、時間Ｔｅを比較的短い時間に設定し、直前のサブフィールドの維持期間に発生する維持パルスの数が多ければ、時間Ｔｅを比較的長い時間に設定する。
【００５８】
例えば、１フィールドを８のサブフィールド（ＳＦ１、ＳＦ２、・・・、ＳＦ８）で構成し、各サブフィールドにそれぞれ（１、２、４、８、１６、３２、６４、１２８）の輝度重みを設定する場合、サブフィールドＳＦ２の直前のサブフィールド（サブフィールドＳＦ１）は輝度重みが「１」なので、維持パルスの発生数は１フィールドの中で最小となる。したがって、サブフィールドＳＦ２では、時間Ｔｅを最小に設定することができる。図４Ｃに示す例では、サブフィールドＳＦ２の時間Ｔｅは１５μｓｅｃである。
【００５９】
また、サブフィールドＳＦ８の直前のサブフィールド（サブフィールドＳＦ７）は輝度重みが「６４」であり、維持パルスの発生数は、１フィールドの中で２番目に大きい数となる。したがって、サブフィールドＳＦ８では、時間Ｔｅを最大に設定することが望ましい。図４Ｃに示す例では、サブフィールドＳＦ８の時間Ｔｅは３００μｓｅｃである。
【００６０】
なお、上述したサブフィールド構成では、サブフィールドＳＦ８で発生する維持パルス数が１フィールドの中では最大となるが、サブフィールドＳＦ８に続くサブフィールドは、次のフィールドのサブフィールドＳＦ１であり、サブフィールドＳＦ１では強制初期化動作を行うため矩形波形電圧を発生しない。そのため、図４Ｃに示す例では、サブフィールドＳＦ８での時間Ｔｅの設定値が、１フィールドの中で最大となる。
【００６１】
また、図４Ｃに示す例では、直前のサブフィールドの維持期間に発生する維持パルスの数に応じ、時間Ｔｅを、各サブフィールドでそれぞれ、サブフィールドＳＦ３では２０μｓｅｃ、サブフィールドＳＦ４では５０μｓｅｃ、サブフィールドＳＦ５では５０μｓｅｃ、サブフィールドＳＦ６では１００μｓｅｃ、サブフィールドＳＦ７では２００μｓｅｃに設定している。
【００６２】
なお、図４Ｃに示す例では、サブフィールドＳＦ４とサブフィールドＳＦ５とでは直前のサブフィールドの維持期間に発生する維持パルスの数は異なるが、時間Ｔｅを共に５０μｓｅｃに設定している。このように、直前のサブフィールドの維持期間に発生する維持パルスの数が異なっていても、駆動に要する時間が不足するとき等は、パネルの放電特性やプラズマディスプレイ装置の仕様等を考慮して、時間Ｔｅを同じ時間長に設定してもかまわない。
【００６３】
このように、本実施の形態では、直前のサブフィールドの維持期間に発生する維持パルスの数に応じて時間Ｔｅを設定するものとする。すなわち、直前のサブフィールドの維持期間に発生する維持パルスの数が少なければ、時間Ｔｅを比較的短い時間に設定し、直前のサブフィールドの維持期間に発生する維持パルスの数が多ければ、時間Ｔｅを比較的長い時間に設定する。これにより、安定した書込み放電を発生させるために必要な電圧Ｖａ（走査パルスの振幅）を低減することができる。これにより、十分な電圧設定マージンを確保しつつ安定した書込み放電を発生させて、画像表示品質の高いプラズマディスプレイ装置を実現することが可能となる。
【００６４】
次に、パネル１０を駆動するための駆動回路について説明する。図５は、本発明の実施の形態におけるプラズマディスプレイ装置４０の回路ブロック図である。プラズマディスプレイ装置４０は、走査電極２２と維持電極２３とデータ電極３２とを有する放電セルを複数配列したパネル１０と、パネル１０を駆動する駆動回路とを備えている。駆動回路は、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。
【００６５】
画像信号処理回路４１は、入力された画像信号にもとづき、各放電セルに階調値を割り当てる。そして、各階調値をサブフィールド毎の発光・非発光を示す画像データに変換する。
【００６６】
タイミング発生回路４５は、水平同期信号および垂直同期信号にもとづいて、各回路ブロックの動作を制御する各種のタイミング信号を発生する。そして、発生したタイミング信号をそれぞれの回路ブロックへ供給する。
【００６７】
データ電極駆動回路４２は、サブフィールド毎の画像データを、データ電極Ｄ１〜データ電極Ｄｍのそれぞれに対応する書込みパルスに変換する。そして、タイミング発生回路４５から供給されるタイミング信号にもとづいて、各データ電極Ｄ１〜データ電極Ｄｍに書込みパルスを印加する。
【００６８】
走査電極駆動回路４３は、維持パルス発生回路、傾斜波形電圧発生回路、走査パルス発生回路（図示せず）を有する。傾斜波形電圧発生回路は、初期化期間に走査電極ＳＣ１〜走査電極ＳＣｎに印加する上り傾斜波形電圧および下り傾斜波形電圧を発生する。維持パルス発生回路は、維持期間に走査電極ＳＣ１〜走査電極ＳＣｎに印加する維持パルスを発生する。走査パルス発生回路は、複数の走査電極駆動ＩＣ（走査ＩＣ）を備え、書込み期間に走査電極ＳＣ１〜走査電極ＳＣｎに印加する走査パルスを発生する。そして、走査電極駆動回路４３は、タイミング発生回路４５から供給されるタイミング信号にもとづいて上述した駆動電圧波形を発生し、走査電極ＳＣ１〜走査電極ＳＣｎのそれぞれに適切に印加する。
【００６９】
維持電極駆動回路４４は、維持パルス発生回路（図示せず）を備え、タイミング発生回路４５から供給されるタイミング信号にもとづいて上述した駆動電圧波形を発生し、維持電極ＳＵ１〜維持電極ＳＵｎに適切に印加する。
【００７０】
図６は、本発明の実施の形態におけるプラズマディスプレイ装置４０の走査電極駆動回路４３の回路図である。走査電極駆動回路４３は、維持パルス発生回路５０と、傾斜波形電圧発生回路６０と、走査パルス発生回路７０とを備えている。
【００７１】
維持パルス発生回路５０は、電力回収回路５１と、スイッチング素子Ｑ５５と、スイッチング素子Ｑ５６と、スイッチング素子Ｑ５９とを有する。そして、走査電極ＳＣ１〜走査電極ＳＣｎに印加する維持パルスを発生する。電力回収回路５１は、パネル１０に蓄えられた電力を、ＬＣ共振を利用してパネル１０から回収し、回収した電力を、走査電極ＳＣ１〜走査電極ＳＣｎを駆動するときの電力として再利用し、パネル１０に再度供給する。スイッチング素子Ｑ５５は走査電極ＳＣ１〜走査電極ＳＣｎを電圧Ｖｓにクランプし、スイッチング素子Ｑ５６は走査電極ＳＣ１〜走査電極ＳＣｎを電圧０（Ｖ）にクランプする。スイッチング素子Ｑ５９は分離スイッチであり、走査電極駆動回路４３を構成するスイッチング素子の寄生ダイオード等を介して電流が逆流するのを防止するために設けられている。
【００７２】
走査パルス発生回路７０は、スイッチング素子Ｑ７１Ｈ１〜スイッチング素子Ｑ７１Ｈｎ、スイッチング素子Ｑ７１Ｌ１〜スイッチング素子Ｑ７１Ｌｎ、スイッチング素子Ｑ７２、負の電圧Ｖａの電源、電圧ＶＣを発生する電源Ｅ７１を有する。そして、走査パルス発生回路７０の基準電位（図６に示した節点Ａの電位）に電圧ＶＣを重畳して電圧（Ｖｃ＝ＶＣ＋Ｖａ）を発生し、電圧Ｖａと電圧Ｖｃとを切換えながら走査電極ＳＣ１〜走査電極ＳＣｎに印加することで走査パルスを発生する。例えば、電圧Ｖａ＝−２００（Ｖ）であり、電圧ＶＣ＝２２０（Ｖ）であれば、電圧Ｖｃ＝２０（Ｖ）となる。そして、走査電極ＳＣ１〜走査電極ＳＣｎのそれぞれに、図３に示したタイミングで走査パルスを順次印加する。なお、走査パルス発生回路７０は、維持期間では維持パルス発生回路５０の出力電圧をそのまま出力する。すなわち、節点Ａの電圧を走査電極ＳＣ１〜走査電極ＳＣｎへ出力する。
【００７３】
傾斜波形電圧発生回路６０は、ミラー積分回路６１、ミラー積分回路６２、ミラー積分回路６３を備え、図３に示した傾斜波形電圧を発生する。ミラー積分回路６１は、トランジスタＱ６１とコンデンサＣ６１と抵抗Ｒ６１とを有し、入力端子ＩＮ６１に一定の電圧を印加する（入力端子ＩＮ６１として図示される２つの丸の間に一定の電圧差を与える）ことにより、電圧Ｖｉ２に向かって緩やかに上昇する上り傾斜波形電圧を発生する。ミラー積分回路６２は、トランジスタＱ６２とコンデンサＣ６２と抵抗Ｒ６２と逆流防止用のダイオードＤ６２とを有し、入力端子ＩＮ６２に一定の電圧を印加する（入力端子ＩＮ６２として図示される２つの丸の間に一定の電圧差を与える）ことにより、電圧Ｖｒに向かって緩やかに上昇する上り傾斜波形電圧を発生する。ミラー積分回路６３は、トランジスタＱ６３とコンデンサＣ６３と抵抗Ｒ６３とを有し、入力端子ＩＮ６３に一定の電圧を印加する（入力端子ＩＮ６３として図示される２つの丸の間に一定の電圧差を与える）ことにより、電圧Ｖｉ４に向かって緩やかに低下する下り傾斜波形電圧を発生する。なお、スイッチング素子Ｑ６９は分離スイッチであり、走査電極駆動回路４３を構成するスイッチング素子の寄生ダイオード等を介して電流が逆流するのを防止するために設けられている。
【００７４】
なお、これらのスイッチング素子およびトランジスタは、ＭＯＳＦＥＴやＩＧＢＴ等の一般に知られた半導体素子を用いて構成することができる。また、これらのスイッチング素子およびトランジスタは、タイミング発生回路４５で発生したそれぞれのスイッチング素子およびトランジスタに対応するタイミング信号により制御される。
【００７５】
図７は、本発明の実施の形態におけるプラズマディスプレイ装置４０の維持電極駆動回路４４の回路図である。維持電極駆動回路４４は、維持パルス発生回路８０と、一定電圧発生回路８５とを備えている。
【００７６】
維持パルス発生回路８０は、電力回収回路８１と、スイッチング素子Ｑ８３と、スイッチング素子Ｑ８４とを有する。そして、維持電極ＳＵ１〜維持電極ＳＵｎに印加する維持パルスを発生する。電力回収回路８１は、パネル１０に蓄えられた電力を、ＬＣ共振を利用してパネル１０から回収し、回収した電力を、維持電極ＳＵ１〜維持電極ＳＵｎを駆動するときの電力として再利用し、パネル１０に再度供給する。スイッチング素子Ｑ８３は、維持電極ＳＵ１〜維持電極ＳＵｎを電圧Ｖｓにクランプし、スイッチング素子Ｑ８４は、維持電極ＳＵ１〜維持電極ＳＵｎを電圧０（Ｖ）にクランプする。
【００７７】
一定電圧発生回路８５は、スイッチング素子Ｑ８６、スイッチング素子Ｑ８７を有し、維持電極ＳＵ１〜維持電極ＳＵｎに電圧Ｖｅを印加する。
【００７８】
なお、これらのスイッチング素子も、ＭＯＳＦＥＴやＩＧＢＴ等の一般に知られた素子を用いて構成することができる。またこれらのスイッチング素子も、タイミング発生回路４５で発生したそれぞれのスイッチング素子に対応するタイミング信号により制御される。
【００７９】
次に、選択初期化動作を行うサブフィールド（例えば、サブフィールドＳＦ２）の初期化期間において、走査電極ＳＣ１〜走査電極ＳＣｎおよび維持電極ＳＵ１〜維持電極ＳＵｎに印加する駆動電圧波形を発生する方法について、図６に示した走査電極駆動回路４３および図７に示した維持電極駆動回路４４を用いて説明する。なお、電圧Ｖｒは電圧Ｖｓと同じ電圧に設定されているものとする。
【００８０】
維持電極ＳＵ１〜維持電極ＳＵｎに電圧０（Ｖ）を印加するときには、維持電極駆動回路４４のスイッチング素子Ｑ８４を導通（以下、「オン」と記す）する。
【００８１】
走査電極ＳＣ１〜走査電極ＳＣｎに電圧Ｖｒまで緩やかに上昇する上り傾斜波形電圧を印加するときには、走査電極駆動回路４３のスイッチング素子Ｑ７１Ｌ１〜スイッチング素子Ｑ７１Ｌｎ、およびスイッチング素子Ｑ６９をオンにし、入力端子ＩＮ６２に一定の電圧を印加して（入力端子ＩＮ６２として図示される２つの丸の間に一定の電圧差を与えて）ミラー積分回路６２を動作させる。
【００８２】
走査電極ＳＣ１〜走査電極ＳＣｎに、電圧０（Ｖ）から電圧Ｖｉ４に向かって緩やかに下降する下り傾斜波形電圧を印加するときには、ミラー積分回路６２の入力端子ＩＮ６２に０（Ｖ）の電圧を印加して（入力端子ＩＮ６２として図示される２つの丸の間の電圧差を０（Ｖ）にして）トランジスタＱ６２を遮断（以下、「オフ」と記す）し、スイッチング素子Ｑ５６をオンにして、走査電極ＳＣ１〜走査電極ＳＣｎに電圧０（Ｖ）を印加する。そして、スイッチング素子Ｑ５６、スイッチング素子Ｑ６９をオフにし、入力端子ＩＮ６３に一定の電圧を印加して（入力端子ＩＮ６３として図示される２つの丸の間に一定の電圧差を与えて）ミラー積分回路６３を動作させる。
【００８３】
走査電極ＳＣ１〜走査電極ＳＣｎに電圧Ｖｒの矩形波形電圧を印加するときには、ミラー積分回路６３の入力端子ＩＮ６３に０（Ｖ）の電圧を印加して（入力端子ＩＮ６３として図示される２つの丸の間の電圧差を０（Ｖ）にして）トランジスタＱ６３をオフにし、スイッチング素子Ｑ６９、スイッチング素子Ｑ５９、スイッチング素子Ｑ５５をオンにする。これにより、走査電極ＳＣ１〜走査電極ＳＣｎに電圧Ｖｓ、すなわち電圧Ｖｒが印加される。この状態を、時間Ｔｅの間、継続する。
【００８４】
維持電極ＳＵ１〜維持電極ＳＵｎに電圧Ｖｅを印加するときには、維持電極駆動回路４４のスイッチング素子Ｑ８４をオフにし、スイッチング素子Ｑ８６、スイッチング素子Ｑ８７をオンにする。これにより、維持電極ＳＵ１〜維持電極ＳＵｎに電圧Ｖｅが印加される。
【００８５】
走査電極ＳＣ１〜走査電極ＳＣｎに電圧０（Ｖ）から電圧Ｖｉ４に向かって緩やかに下降する下り傾斜波形電圧を印加するときには、ミラー積分回路６２の入力端子ＩＮ６２に０（Ｖ）の電圧を印加して（入力端子ＩＮ６２として図示される２つの丸の間の電圧差を０（Ｖ）にして）のトランジスタＱ６２をオフにし、スイッチング素子Ｑ５６をオンにして、走査電極ＳＣ１〜走査電極ＳＣｎに電圧０（Ｖ）を印加する。そして、スイッチング素子Ｑ５６、スイッチング素子Ｑ６９をオフにし、ミラー積分回路６３の入力端子ＩＮ６３に一定の電圧を印加して（入力端子ＩＮ６３として図示される２つの丸の間に一定の電圧差を与えて）ミラー積分回路６３を動作させる。
【００８６】
なお、走査電極ＳＣ１〜走査電極ＳＣｎの電圧が電圧Ｖｉ４に到達する直前に維持電極駆動回路４４のスイッチング素子Ｑ８６、スイッチング素子Ｑ８７をオフにして、維持電極ＳＵ１〜維持電極ＳＵｎをハイインピーダンス状態としてもよい。このように駆動することにより、続く書込み動作をさらに安定して発生させることができる。図３には、このような駆動電圧波形を示した。あるいは、維持電極ＳＵ１〜維持電極ＳＵｎをハイインピーダンス状態にはせず、維持電極ＳＵ１〜維持電極ＳＵｎに電圧Ｖｅを継続して印加する構成であってもよい。
【００８７】
なお、図５〜図７に示した駆動回路は一例であって、本発明がこれらの駆動回路の回路構成に限定されるものではない。
【００８８】
なお、本発明の実施の形態において示した具体的な数値等は、単に一例を挙げたものに過ぎず、本発明は何らこれらの数値に限定されるものではない。各数値は、パネルの特性やプラズマディスプレイ装置の仕様等に合わせて、適宜最適な値に設定することが望ましい。
【産業上の利用可能性】
【００８９】
本発明は、十分な電圧設定マージンを確保しつつ安定した書込み放電を発生させて、表示品質の高い画像を表示することが可能なパネルの駆動方法およびプラズマディスプレイ装置として有用である。
【符号の説明】
【００９０】
１０  パネル
２１  前面基板
２２  走査電極
２３  維持電極
２４  表示電極対
２５  誘電体層
２６  保護層
３１  背面基板
３２  データ電極
３３  誘電体層
３４  隔壁
３５  蛍光体層
４０  プラズマディスプレイ装置
４１  画像信号処理回路
４２  データ電極駆動回路
４３  走査電極駆動回路
４４  維持電極駆動回路
４５  タイミング発生回路
５０，８０  維持パルス発生回路
５１，８１  電力回収回路
６０  傾斜波形電圧発生回路
６１，６２，６３  ミラー積分回路
７０  走査パルス発生回路
８５  一定電圧発生回路
Ｑ５５，Ｑ５６，Ｑ５９，Ｑ６９，Ｑ７１Ｈ１〜Ｑ７１Ｈｎ，Ｑ７１Ｌ１〜Ｑ７１Ｌｎ，Ｑ７２，Ｑ８３，Ｑ８４，Ｑ８６，Ｑ８７  スイッチング素子
Ｅ７１  電源
Ｑ６１，Ｑ６２，Ｑ６３  トランジスタ
Ｃ６１，Ｃ６２，Ｃ６３  コンデンサ
Ｒ６１，Ｒ６２，Ｒ６３  抵抗
ＩＮ６１，ＩＮ６２，ＩＮ６３  入力端子
Ｄ６２  ダイオード
【図１】
2011052219.tif 000003
【図２】
2011052219.tif 000004
【図３】
2011052219.tif 000005
【図４Ａ】
2011052219.tif 000006
【図４Ｂ】
2011052219.tif 000007
【図４Ｃ】
2011052219.tif 000008
【図５】
2011052219.tif 000009
【図６】
2011052219.tif 000010
【図７】
2011052219.tif 000011
【国際調査報告】
2011052219.tif 000012
2011052219.tif 000013
2011052219.tif 000014
2011052219.tif 000015